(57)【要約】【課題】背筋のストレッチを前後縦横に行い、姿勢の歪みを矯正し、使用者の体格の違いに対応できる座椅子を提供する。【解決手段】  座椅子１は、座部２と、座部２と連結する背当て部３と、背当て部３の座部２に対する角度を前後方向に調整するリクライニング機構４と、背当て部３の両側に左右方向に突出するよう、使用者Ｓの肘Ｍで抱え込むことが可能な位置に配置され、背当て部３に対して脱着可能である一対の肘載せ棒５ａ，５ｂと、背当て部３の上部に脱着可能であり、上下位置が調整可能に設けられるヘッドレスト部６と、を備えることを特徴とする。背当て部３に左右一対の開口部７を設け、開口部７の内部に、それぞれ、肘載せ棒５ａ，５ｂを取り付けるための複数の取付部８ａ〜８ｃが縦方向に設けられ、肘載せ棒５ａ，５ｂの高さを調整可能である。座椅子１は、基本的には、リクライニング椅子に肘載せ棒５ａ，５ｂとヘッドレスト部６を脱着可能な構造である。【選択図】図１
2018046907.tif 000002
【特許請求の範囲】
【請求項１】
座部と、
座部と連結する背当て部と、
前記背当て部の両側に左右方向に突出し、肘を乗せることが可能な位置に配置される肘載せ棒と、を備えることを特徴とする座椅子。
【請求項２】
前記背当て部の上部に脱着可能であり、上下位置が調整可能に設けられるヘッドレスト部を備える請求項１の座椅子。
【請求項３】
前記背当て部に前記肘載せ棒を取り付けるための複数の取付部が設けられ、前記肘載せ棒の高さを調整可能な請求項１又は２の座椅子。
【請求項４】
前記背当て部に開口部を設け、該開口部の内部に、前記複数の取付部が縦方向に設けられる請求項３の座椅子。
【請求項５】
前記開口部の内部に前記肘載せ棒を収容する請求項４の座椅子。
【請求項６】
前記開口部がファスナーで縦方向に開閉可能な請求項４又は５の座椅子。
【請求項７】
前記肘載せ棒が前記背当て部に対して脱着可能である一対の部材である請求項１ないし６いずれかの座椅子。
【請求項８】
前記背当て部の前記座部に対する角度を前後方向に調整するリクライニング機構を備える請求項１ないし７いずれかの座椅子。
【発明の詳細な説明】
【技術分野】
【０００１】
本発明は、背筋のストレッチ及び姿勢のゆがみを矯正するために好適な座椅子に関する。
【背景技術】
【０００２】
近年、健康や美容への関心が高まっている。特に、美容においてウエストのシェイプアップへの関心は高い。わき腹のストレッチを、従来よりも効果的且つ総合的にしかも簡便に行うことが出来るわき腹用ストレッチ椅子を提供するため、固定脚部１４によって支持される基台部１０と、座面の左右が上下に回転遊動する着座部９と、使用者１５の背中を支えながら自在に回動する背当て部１とを備えて成り、背当て部１の両端には取手部２、４が左右方向に突出するように配置され、平坦又は略平坦形状の背当て面中心が回動するように基台部１０に軸支され、着座部９は基台部１０の上部に設置され、底面の支持部１２、１３により基台部１０に軸支されて可動機能を有する側腹部ストレッチ椅子（特許文献１参照）が提案されている。
【０００３】
しかしながら、特許文献１のストレッチ椅子では、腰を捻るというストレッチ運動を行うことによって、脇腹を重点的にストレッチ、シェイプアップすることはできるが、背筋をストレッチし、姿勢を矯正することは困難である。
【０００４】
一方、背筋を伸ばすための器具も特許文献２、３などが提案されている。
【０００５】
しかしながら、特許文献２、３の座椅子では背中を前後方向に傾けることで背筋を単純にストレッチするものであり、背筋は前後方向に伸びるが、その他の方向には伸びず、姿勢の矯正まで行うことは困難である。また、使用者が子供から大人まで、幅広く使用することは困難である。さらに、頭のサポ−トがない状態で背筋を伸ばすため、首に無理な力が加わるおそれがある。
【先行技術文献】
【特許文献】
【０００６】
【特許文献１】特開2014-140429号公報
【特許文献２】実用新案登録第3018339号公報
【特許文献３】実用新案登録第3193498号公報
【発明の概要】
【発明が解決しようとする課題】
【０００７】
本発明は上記問題点に鑑み、背筋のストレッチを前後縦横に行い、姿勢の歪みを矯正し、使用者の体格の違いに対応できる座椅子を提供することにある。
【課題を解決するための手段】
【０００８】
上記の課題に鑑みて、本発明は、座部と、座部と連結する背当て部と、前記背当て部の両側に左右方向に突出し、肘を乗せることが可能な位置に配置される肘載せ棒と、を備えることを特徴とする座椅子である。座部と背当て部とが分離し連結した構造、座部と背当て部とが一体化した構造のいずれも含む。
【０００９】
前記背当て部の上部に脱着可能であり、上下位置が調整可能に設けられるヘッドレスト部を備える座椅子が好ましい。
【００１０】
前記背当て部に前記肘載せ棒を取り付けるための複数の取付部が設けられ、前記肘載せ棒の高さを調整可能な座椅子が好ましい。
【００１１】
前記背当て部に開口部を設け、該開口部の内部に、前記複数の取付部が縦方向に設けられる座椅子が好ましい。
【００１２】
前記開口部の内部に前記肘載せ棒を収容する請求項４の座椅子が好ましい。
【００１３】
前記開口部がファスナーで縦方向に開閉可能な請求項４又は５の座椅子が好ましい。
【００１４】
前記肘載せ棒が前記背当て部に対して脱着可能である一対の部材である座椅子が好ましい。
【００１５】
前記背当て部の前記座部に対する角度を前後方向に調整するリクライニング機構を備える座椅子が好ましい。
【００１６】
なお、当業者に自明な範囲で上記の本発明の構成要件を適宜調整しても構わない。
【発明の効果】
【００１７】
（１）肘載せ棒に腕を回し肘を乗せることにより、背中の筋肉を前後、縦横に伸ばすことができる。肘載せ棒を背中に引きつけるように力を加えれば、一層の効果がある。肘載せ棒に腕を回すと後ろに体が流れるが、その力を背筋に当たっている背当て部で支えるので一層の効果が得られる。さらに、背筋をほぐすことができ、胸が出て腹が引っ込むので、若々しい美体形が可能である。
【００１８】
（２）胸を張って頭も自然と上に伸び 首も真っ直ぐになり、首のシワやたるみが改善することができる。
【００１９】
（３）背中や胸の筋肉がほぐれるので、肩コリや首のコリを改善することができる。
【００２０】
（４）座椅子で休息、例えば、テレビ等を見ながら楽に背伸ばしをすることができるので、簡単に姿勢が矯正できる。
【００２１】
（５）へッドレスト部の高さを調整することで、子供から大人まで、男女を問わず、首に無理をかけず背筋伸ばしができる。ヘッドレスト部により、首もしっかリ 上に伸ばすことで、背筋を伸ばすことができる。
【００２２】
（６）肘載せ棒の高さを調整可能であるので、子供から大人まで幅広く利用できる。また、背筋のストレッチに多様性を付与できる。
【００２３】
（７）肘載せ棒の脱着作業が楽である。
【００２４】
（８）開口部の内部に肘載せ棒を収容するので、座椅子の収納が容易である。
【００２５】
（９）開口部がファスナーで縦方向に開閉可能であるので、取付部を隠すことができる。
【００２６】
（１０）肘載せ棒が背当て部に対して脱着可能であるので、収納が容易である。また、普通の座椅子としても利用できる。
【００２７】
（１１）リクライニング機構により背当て部に傾斜をつけて使えば自然に体重が加わり無理なく背筋のばしが可能である。
【図面の簡単な説明】
【００２８】
【図１】本発明実施形態１の座椅子の起立状態の正面図である。
【図２】同実施形態１の座椅子の起立状態の平面図である。
【図３】同実施形態１の座椅子の起立状態の左側面図である。
【図４】同実施形態１の座椅子の倒伏状態の平面図である。
【図５】同実施形態１の座椅子の起立状態の斜視図である。
【図６】同実施形態１の座椅子の起立状態での肩肘で肘載せ棒を抱えた使用状態１の斜視図である。
【図７】同実施形態１の座椅子の起立状態での両肘で肘載せ棒を抱えた使用状態２の正面図である。
【図８】同実施形態１の座椅子の起立状態での両肘で肘載せ棒を抱えた使用状態２の背面図である。
【図９】同実施形態１の座椅子の倒伏状態での使用状態３を示す右側面図である。
【図１０】同実施形態１の座椅子の起立状態での使用状態４を示す右側面図である。
【図１１】本発明実施形態２の座椅子の右側面図である。
【図１２】本発明実施形態３の座椅子の斜視図である。
【図１３】本発明実施形態４の座椅子の斜視図である。
【図１４】本発明実施形態５の座椅子の斜視図である。
【図１５】本発明実施形態６の座椅子の斜視図である。
【発明を実施するための形態】
【００２９】
本発明である座椅子は、背筋のストレッチを効果的に行うことを最大の特徴とする。以下、実施形態を図面に基づいて説明する。説明において、特に限定のない場合は、着座した使用者Ｓから座椅子１を正面から見て左右、上下とし、側面から見て前後として、説明する。本実施形態で示される座椅子１の全体形状及び各部の形状は、下記に述べる実施形態に限定されるものではなく、本発明の技術的思想の範囲内、即ち、発明の課題を解決できる範囲内で構成を変更することができる。以下、この座椅子１について図面を参照して詳細に説明する。
【００３０】
本発明実施形態１の座椅子１は、座部２と、座部２と連結する背当て部３と、背当て部３の座部２に対する角度を前後方向に調整するリクライニング機構４と、背当て部３の両側に左右方向に突出するよう、使用者Ｓの肘Ｍで抱え込むことが可能な位置に配置され、背当て部３に対して脱着可能である一対の肘載せ棒５ａ，５ｂと、背当て部３の上部に脱着可能であり、上下位置が調整可能に設けられるヘッドレスト部６と、を備えることを特徴とする。背当て部３に左右一対の開口部７を設け、開口部７の内部に、それぞれ、肘載せ棒５ａ，５ｂを取り付けるための複数の取付部８ａ〜８ｃが縦方向に設けられ、肘載せ棒５ａ，５ｂの高さを調整可能である。座椅子１は、基本的には、リクライニング椅子に肘載せ棒５ａ，５ｂとヘッドレスト部６を脱着可能な構造としたものである。以下、各部を順に説明する。
【００３１】
座部２は通常の座椅子と同様に使用者Ｓが座る部分である。
【００３２】
背当て部３は通常の座椅子と同様に使用者Ｓが着座時に背中を押し付け、着座の姿勢を安定させる部分である。背当て部２の位置は、着座した使用者Ｓの上半身の背側を保持する位置に配置される。背当て部３は、上半身のストレッチを大きくするため、座部２の辺から延び出すように連結する構造である。背当て部３の表面側に背中の筋肉を自然に伸ばすような前方に膨出部３ａを有する。
【００３３】
リクライニング機構４は座部２及び背当て部３に内蔵され、複数段階に角度を変更できる骨組み構造を有する一般的な座椅子の技術に従うので、説明は省略する。例えば、実開平７−１４９３７号公報、特許文献３等の骨組み構造が挙げられるので、参照されたい。
【００３４】
肘載せ棒５ａ，５ｂは、剛性、例えば金属製の芯材に、ゴム、樹脂等の弾性材を周設し、端部に露出した芯材の表面に雄ねじを形成したものである。肘載せ棒５ａ，５ｂの高さは35〜60ｃｍである。使用者Ｓの体格差を考慮したものである。35ｃｍより低く、また、60ｃｍより高いと肘Ｍの内側で抱えることが困難となるからである。肘載せ棒５ａ，５ｂの長さは7〜15ｃｍが好ましい。長さが7ｃｍを下回ると、肘Ｍで抱え込むことができず、15ｃｍよりも長すぎると場所を余分に取ったり、収納の際の邪魔になるおそれがある。肘載せ棒５ａ，５ｂの高さの調節は0〜15cmの範囲内で複数段階に調整が可能である。
【００３５】
ヘッドレスト部６は、たとえば、自動車の座席の上部に装着可能なヘッドレストと同様の構造であるので、説明は省略する。ヘッドレストの高さ調整は、例示であるが、0〜15ｃｍの範囲で可能である。
【００３６】
取付部８ａ〜８ｃは金属、プラスチック、セラミック等の剛性の板材に雌ネジを横方向に設けた孔部である。こられのいずれかの孔部に肘載せ棒５ａ，５ｂの雄ねじを時計方向又は反時計方向にネジ込むことで固定される。肘載せ棒５ａ，５ｂの雄ねじを逆方向に回転することで、取付部８ａ〜８ｃのいずれからも取り外すことができる。
【００３７】
開口部７の内部に、それぞれ、肘載せ棒５ａ，５ｂを収容することができる、図３の点線に示すポケット９を設ける。
【００３８】
ファスナー（図示略）で開口部７ａ，７ｂを縦方向に開閉可能とすることもできる。
【実施例１】
【００３９】
座椅子１の高さＡ＝85cm、横幅Ｂ＝58cm（肘載せ棒５ａ，５ｂの両端部の間隔）、座部２の高さＣ＝12cm、横幅Ｄ＝47cm、奥行Ｅ＝60cm、背当て部３の高さＦ＝58cm、横幅Ｇ＝30cm、前後方向の膨出幅Ｈ＝7cm、ヘッドレスト部６の横幅Ｉ＝20cm、高さＪ＝15cmである。ヘッドレスト６の高さ調整は、15ｃｍの範囲内で可能である。肘載せ棒５ａ，５ｂの高さＫ＝40〜55cmは、この範囲で３段階の調整が可能である。肘載せ棒５ａ，５ｂの直径は2〜6cmに設定される。
【００４０】
座椅子１の使用方法を図６〜図１０を参照して説明する。図６は、座椅子１を起立状態とし、使用者Ｓが座部２に着座し、左肘Ｍの内側で肘載せ棒５ｂを抱え込み、右肘を上へ伸ばす使用方法を示す。片側の背筋と胸筋がストレッチされる。図７、図８は、座椅子１を起立状態とし、使用者Ｓが座部２に着座し、両肘Ｍで肘載せ棒５ｂをそれぞれ抱え込み、背を反らすことで、背筋と胸筋を伸ばす使用方法を示す。図９は、座椅子１を伸長させて、平面状態とし、その上に使用者Ｓが仰向けに寝て、背筋と胸筋を伸ばす使用方法を示す。いずれの場合も使用者Ｓの頭はヘッドレスト部６に接触する。図１０は肘載せ棒５ａ，５ｂに肘を用いない座椅子の一般的な使用方法を示し、頭をヘッドレスト部６に凭れさせることができる。
【００４１】
以上説明した座椅子１によれば、肘載せ棒５ａ，５ｂに腕を回し肘Ｍの内側で抱え込むことにより、背中の筋肉を前後、縦横に伸ばすことができる。肘載せ棒５ａ，５ｂを引きつけるように力を加えればより一層の効果がある。肘載せ棒に腕を回すと後ろに体が流れるが、その力を背筋に当たっている背当て部３で支える（止める、力が加わる）ので一層の効果が得られる。また、背筋をほぐすことができ、胸が出て腹が引っ込むので、若々しい美体形が可能である。さらに、背筋が伸びると胸を張って頭も自然と上に伸び 首も真っ直ぐになり、首のシワやたるみが改善する。背中や胸の筋肉がほぐれるので、肩コリや首のコリの改善になる。座椅子１で休息、例えば、テレビ等を見ながら楽に背伸ばしをすることができるので、簡単に姿勢が矯正できる。
【００４２】
へッドレスト部６の高さを調整することで、子供から大人まで、男女を問わず、首に無理をかけず背筋伸ばしができる。ヘッドレスト部６により、首もしっかリ上に伸ばすことで、背筋が伸びる。
【００４３】
肘載せ棒５ａ，５ｂの高さを調整可能であるので、子供から大人まで幅広く利用できる。また、背筋のストレッチに多様性を付与できる。
【００４４】
肘載せ棒５ａ，５ｂの脱着作業が楽である。
【００４５】
開口部７の内部に肘載せ棒５ａ，５ｂを収容するので、座椅子１の収納が容易である。
【００４６】
開口部７がファスナーで縦方向に開閉可能であるので、取付部を隠すことができる、
【００４７】
肘載せ棒５ａ，５ｂが背当て部３に対して脱着可能であるので、収納が容易である。また、普通の座椅子としても利用できる。
【００４８】
リクライニング機構４により背当て部３に傾斜をつけて使えば自然に体重が加わり無理なく背筋のばしが可能である。
【００４９】
本発明実施形態２に係る座椅子２０１は、図１１に示す通り、座部２０２が固定式構造ではなく、回転軸２０２ａを中心として、底部２０２ｂの内部に設けた底部ベースプレート２０２ｃの中心に回転可能に軸支されている構造であり、例えば、実用新案登録第3197972号公報等に記載の座部２０２の回転構造を備えるものである。底部２０２ｂは、背当て部２０３と連結され、また、リクライニング機構２０４は、底部ベースプレート２０２ｃと連結され、複数段階で背当て部２０３の角度が調整可能となっている。座部２０２が水平方向において回転することから、お尻が自在に揺れ動くため、肘載せ棒２０５ａ，２０５ｂを肘Ｍの内側で抱え込みつつ、抱え込んだ部位を支点として、使用者Ｓは腰をひねることで、座部２０２に着座したお尻が回転し、背筋の伸長と、腹筋の伸縮により、一層のストレッチ効果や筋力アップが可能となる。
【００５０】
本発明実施形態３に係る座椅子３０１は、図１２に示す通り、実施形態２と同様に座部３０２が固定式構造ではなく、座部３０２が回転可能な構造であり、説明は援用する。背当て部３０３の横幅を座部３０２の横幅に対して、１／２以下の割合にしてあるので、軽量、小型であり、製造コストが安くなる。図１２では割合は１／５〜１／１０の範囲が好ましい。
【００５１】
本発明実施形態４に係る座椅子４０１は、図１３に示す通り、実施形態３と同様な構造であるが座部４０２の構造が相違する。座部４０２が、一対の支持脚 ４０２ｅと、支持脚４０２ｅから斜め上方に延び出す延出部材４０２ｆと、により支持される構造である。背当て部４０３は、延出部材４０２ｆから上方に延び出している。軽量、小型であり、構造が簡単で、故障が少なく、製造コストが安くなる。
【００５２】
本発明実施形態５に係る座椅子５０１は、図１４に示す通り、実施形態２〜４と相違し、座部５０２の周縁部に背当て部５０３が固定され、座部５０２を円盤形状とし、背当て部５０３を直立する支柱構造とし、背当て部５０３の上端に丸棒で構成する肘載せ棒５０５ａ，５０５ｂを水平にＴ字型に連結した構造を有する。座椅子５０１は、軽量、小型であり、構造が簡単で、故障が少なく、製造コストが安くなる。
【００５３】
本発明実施形態６に係る座椅子６０１は、図１５に示す通り、実施形態５と概ね同様の構造ではあるが、背当て部６０３と肘載せ棒６０５を丸棒で構成し、Ｔ字型に連結した構造を有する。座椅子６０１は、軽量、小型であり、構造が簡単で、故障が少なく、製造コストが安くなる。
【００５４】
本発明における好適な実施の形態について、添付図面を参照して説明したが、以上の実施の形態は、発明の例示であり、特許請求の範囲に記載された本発明の内容を限定するものではなく、本発明の要旨の範囲内で、適宜、変形、変更、修正等が可能である。実施形態３はリクライニング機構を有するが、これがないものにも適用できる。実施形態１〜４は座部が回転式であるが、固定式の構造にも適用が可能である。実施形態５，６において、実施形態３，４に示すような背当て部に置き換えることも可能である。ヘッドレスト部６の高さを調節できるようにしたが、固定式でもよい。この場合には、背当て部３とヘッドレスト部６が連続的に設けられる。
【産業上の利用可能性】
【００５５】
本発明の座椅子は、背筋のストレッチを従来よりも効果的且つ総合的にしかも簡便に行うことが出来、健康器具産業、美容器具産業への産業上の利用可能性は極めて大きい。
【符号の説明】
【００５６】
１・・・座椅子
２・・・座部
３・・・背当て部
３ａ・・・膨出部
４・・・リクライニング機構
５ａ，５ｂ・・・肘載せ棒
６・・・ヘッドレスト部
７・・・開口部
８ａ〜８ｃ・・・取付部
９・・・ポケット
２０１，３０１，４０１，５０１，６０１・・・座椅子
２０２，３０２，４０２，５０２，６０２・・・座部
２０２ａ・・・回転軸
２０２ｂ・・・底部
２０２ｃ・・・底部ベースプレート
２０３，３０３，４０３，５０３，６０３・・・背当て部
２０４・・・リクライニング機構
２０５ａ，２０５ｂ，３０５ａ，３０５ｂ，４０５ａ，４０５ｂ，５０５ａ，５０５ｂ，６０５・・・肘載せ棒
４０２ｅ・・・支持脚
４０２ｆ・・・延出部材
Ｓ・・・使用者
Ｍ・・・肘
【図１】
2018046907.tif 000003
【図２】
2018046907.tif 000004
【図３】
2018046907.tif 000005
【図４】
2018046907.tif 000006
【図５】
2018046907.tif 000007
【図６】
2018046907.tif 000008
【図７】
2018046907.tif 000009
【図８】
2018046907.tif 000010
【図９】
2018046907.tif 000011
【図１０】
2018046907.tif 000012
【図１１】
2018046907.tif 000013
【図１２】
2018046907.tif 000014
【図１３】
2018046907.tif 000015
【図１４】
2018046907.tif 000016
【図１５】
2018046907.tif 000017